(57)【要約】      （修正有）【課題】凍結した雪氷の雪掻き作業を容易に行うことができ、柄杆体の左右方向への横振れや柄杆体の軸線廻りの回転を抑制することができる雪掻具を提供する。【解決手段】雪掻体２の開口前縁部に波状の凹凸部４を形成し、取手部３は柄杆体１の基端部１ａ及び柄杆体の基端部に柄杆体の長手方向に交差する方向に形成された横杆体５からなる全体としてＴ形状に形成されている。雪掻体２は底板部２ａ、左右の側板部２ｂ・２ｂ及び後板部２ｃからなる左右方向に横長の箕状に形成されているので、雪掻き幅が大きく、雪掻き作業性を高めることができ、かつ、雪掻体２の開口前縁部に波状の凹凸部４を形成しているから、特に、凍結した雪氷の雪掻き作業を容易に行うことができる。【選択図】図１
0003188185.tif 000002
【実用新案登録請求の範囲】
【請求項１】
柄杆体の先端部に雪掻体を設け、該柄杆体の基端部に取手部を設けてなり、上記雪掻体は底板部、左右の側板部及び後板部からなる左右方向に横長の箕状に形成され、該雪掻体の開口前縁部に波状の凹凸部を形成し、上記取手部は上記柄杆体の基端部及び該柄杆体の基端部に柄杆体の長手方向に交差する方向に形成された横杆体からなる全体としてＴ形状に形成されていることを特徴とする雪掻具。
【請求項２】
上記柄杆体及び上記横杆体はアルミニウム製のパイプ材からなり、上記雪掻体はアルミニウム製の板材からなることを特徴とする請求項１記載の雪掻具。
【考案の詳細な説明】
【技術分野】
【０００１】
本考案は、例えば道路や駐車場等の路面上の積雪や雪氷等の雪掻き作業に用いられる雪掻具に関するものである。
【背景技術】
【０００２】
従来、この種の雪掻具として、柄杆体の先端部に雪掻体を設け、柄杆体の基端部に取手部を設けてなる構造のものが知られている。
【先行技術文献】
【特許文献】
【０００３】
【特許文献１】実用新案登録第３１２２５１４号
【考案の概要】
【考案が解決しようとする課題】
【０００４】
しかしながら上記従来構造の場合、上記雪掻体は底板部の左右の側辺部を上方に稍折曲して前後方向に縦長のスコップ状に形成され、かつ、上記取手部は上記柄杆体の基端部に二股部及び横杆部からなる全体として棒材を三角形状に折曲した形状の三角状杆からなる構造であり、この縦長のスコップ状の雪掻体にあっては、雪掻体の前辺部の横幅が縦長に比べて小さいため雪掻き幅が小さく、雪掻き作業性が低下することがあり、かつ、作業者は取手部の三角杆状の上辺に位置する横杆部を握持して雪掻き作業を行うことになり、この雪掻き作業時に雪掻体に掛かる雪掻抵抗により生ずる柄杆体の左右方向への横振れや柄杆体の軸線廻りの回転を抑制することが困難であり、それだけ、雪掻き作業性が低下することがあるという不都合を有している。
【課題を解決するための手段】
【０００５】
本考案はこれらの不都合を解決することを目的とするもので、本考案のうちで、請求項１記載の考案は、柄杆体の先端部に雪掻体を設け、該柄杆体の基端部に取手部を設けてなり、上記雪掻体は底板部、左右の側板部及び後板部からなる左右方向に横長の箕状に形成され、該雪掻体の開口前縁部に波状の凹凸部を形成し、上記取手部は上記柄杆体の基端部及び該柄杆体の基端部に柄杆体の長手方向に交差する方向に形成された横杆体からなる全体としてＴ形状に形成されていることを特徴とする雪掻具にある。
【０００６】
又、請求項２記載の考案は、上記柄杆体及び上記横杆体はアルミニウム製のパイプ材からなり、上記雪掻体はアルミニウム製の板材からなることを特徴とするものである。
【考案の効果】
【０００７】
本考案は上述の如く、請求項１記載の考案にあっては、雪掻体は底板部、左右の側板部及び後板部からなる左右方向に横長の箕状に形成されているので、雪掻き幅が大きく、雪掻き作業性を高めることができ、かつ、雪掻体の開口前縁部に波状の凹凸部を形成しているから、特に、凍結した雪氷の雪掻き作業を容易に行うことができ、さらに、上記取手部は上記柄杆体の基端部及び柄杆体の基端部に柄杆体の長手方向に交差する方向に形成された横杆体からなる全体としてＴ形状に形成されているから、作業者は柄杆体の基端部を右手の人差指と中指との間で挟みながら横杆体を親指、人差指、中指、薬指、小指で握持して雪掻き作業を行うことができ、この雪掻き作業時に雪掻体に掛かる雪掻抵抗により生ずる柄杆体の左右方向への横振れや柄杆体の軸線廻りの回転を抑制することができ、雪掻き作業性を向上することができる。
【０００８】
又、請求項２記載の考案にあっては、上記柄杆体及び上記横杆体はアルミニウム製のパイプ材からなり、上記雪掻体はアルミニウム製の板材からなるので、軽量化を図ることができると共に合成樹脂等に比べ、機械的強度及び剛性が高いので、雪掻き作業性及び使用の耐久性を向上することができる。
【図面の簡単な説明】
【０００９】
【図１】本考案の実施の形態例の全体斜視図である。
【図２】本考案の実施の形態例の全体正面図である。
【図３】本考案の実施の形態例の部分正面図である。
【図４】本考案の実施の形態例の部分側断面図である。
【図５】本考案の実施の形態例の使用状態図である。
【考案を実施するための形態】
【００１０】
図１乃至図５は本考案の実施の形態例を示し、１は柄杆体、２は雪掻体であって、柄杆体１の先端部に雪掻体２を取り付け、柄杆体１の基端部１ａに取手部３を設けてなる。
【００１１】
この場合、図３、図４の如く、上記雪掻体２は底板部２ａ、左右の側板部２ｂ・２ｂ及び後板部２ｃからなる左右方向に横長の箕状に形成され、後板部２ｃに抜穴２ｄを左右三個ずつ、計六個形成し、柄杆体１の先端部に三角板状の取付板部Ｋを形成し、取付板部Ｋに雪掻体２をボルトＢ及びナットＮにより取り付けている。
【００１２】
４は凹凸部であって、図３の如く、上記雪掻体２の開口前縁部に形成され、凹凸部４は凹部４ａ及び凸部４ｂを交互に形成した雪氷中に突刺可能な波状に形成され、この場合、凹部４ａ及び凸部４ｂは三角波形状に形成されている。
【００１３】
５は横杆体であって、図１、図２の如く、上記柄杆体１の基端部１ａに柄杆体１の長手方向に交差する方向に形成され、しかして、上記取手部３は上記柄杆体１の基端部１ａ及び柄杆体１の基端部１ａに柄杆体１の長手方向に交差する方向に形成された横杆体５からなる全体としてＴ形状に形成されている。
【００１４】
この場合、上記柄杆体１及び上記横杆体５はアルミニウム製のパイプ材から形成され、上記雪掻体２はアルミニウム製の板材から形成されている。
【００１５】
この実施の形態例は上記構成であるから、図１、図２、図３、図４の如く、道路や駐車場等の路面Ｒ上の雪掻き作業に際し、雪掻体２は底板部２ａ、左右の側板部２ｂ・２ｂ及び後板部２ｃからなる左右方向に横長の箕状に形成されているので、雪掻き幅が大きく、雪掻き作業性を高めることができ、かつ、雪掻体２の開口前縁部に波状の凹凸部４を形成しているから、図５の如く、特に、凍結した雪氷Ｓの雪掻き作業を容易に行うことができ、さらに、上記取手部３は上記柄杆体１の基端部１ａ及び柄杆体１の基端部１ａに柄杆体１の長手方向に交差する方向に形成された横杆体５からなる全体としてＴ形状に形成されているから、作業者Ｍは柄杆体１の基端部１ａを人差指と中指との間で挟みながら横杆体５を親指、人差指、中指、薬指、小指で握持して雪掻き作業を行うことができ、この雪掻き作業時に雪掻体２に掛かる雪掻抵抗により生ずる柄杆体１の左右方向への横振れや柄杆体１の軸線廻りの回転を抑制することができ、雪掻き作業性を向上することができる。
【００１６】
この場合、上記柄杆体１及び上記横杆体５はアルミニウム製のパイプ材からなり、上記雪掻体２はアルミニウム製の板材からなるので、軽量化を図ることができると共に合成樹脂等に比べ、機械的強度及び剛性が高いので、雪掻き作業性及び使用の耐久性を向上することができる。
【００１７】
尚、本考案は上記実施の形態例に限られるものではなく、柄杆体１、雪掻体２、取手部３、凹凸部４、横杆体５の構造や長さ、材質、形態等は適宜設計して変更される。
【００１８】
以上、所期の目的を充分達成することができる。
【符号の説明】
【００１９】
１    柄杆体
１ａ    基端部
２    雪掻体
２ａ    底板部
２ｂ    側板部
２ｃ    後板部
３    取手部
４    凹凸部
５    横杆体
【図１】
0003188185.tif 000003
【図２】
0003188185.tif 000004
【図３】
0003188185.tif 000005
【図４】
0003188185.tif 000006
【図５】
0003188185.tif 000007